(57)【特許請求の範囲】
【請求項１】
複数の周波数帯における補聴処理パラメータの調整を行う補聴器調整装置であって、
前記補聴処理パラメータを入力・変動させる入力部と、
前記補聴処理パラメータを表示する表示部と、
前記複数の周波数帯のすべての前記補聴処理パラメータを、前記入力部によって一括で変動させる一括変動モードか、複数の周波数帯の中から選択された１つの周波数帯における補聴処理パラメータを前記入力部によって独立して変動させる独立変動モードか、を切り換え可能な第１領域と、前記第１領域のモードにかかわらず、複数の周波数帯の中から選択された１つの周波数帯における前記補聴処理パラメータを独立して前記入力部によって変動させる第２領域と、を前記表示部に表示させる表示制御部と、
を有し、
前記表示制御部は、前記第１・第２領域において、前記補聴処理パラメータを同じ様式で表示させ、
前記入力部における異なる操作によって、前記第１・第２領域における前記補聴処理パラメータの調整を行う、
補聴器調整装置。
【請求項２】
前記表示制御部は、前記第２領域において、独立して変動させる変更対象となる特定の周波数帯の表示を、他の周波数帯の表示と識別できるように変化させる、
請求項１に記載の補聴器調整装置。
【請求項３】
前記表示制御部は、前記第２領域において独立して変動させる変更対象となる特定の周波数帯に対応する前記第１領域における表示を、他の周波数帯の表示と識別できるように変化させる、
請求項２に記載の補聴器調整装置。
【請求項４】
前記表示制御部は、前記複数の周波数帯のすべての前記補聴処理パラメータを一括で変動させる際のグルーピングを行う第３領域を、前記表示部にさらに表示させ、
前記表示制御部は、前記第２領域において独立して変動させる変更対象となる特定の周波数帯に対応する前記第１領域および前記第３領域の少なくとも一方における表示を、他の周波数帯の表示と識別できるように変化させる、
請求項２または３に記載の補聴器調整装置。
【請求項５】
前記表示制御部は、前記第１領域および前記第２領域において前記補聴処理パラメータをスライダで表示させる、
請求項１から４のいずれかに記載の補聴器調整装置。
【請求項６】
前記表示制御部は、前記第１領域および前記第２領域において前記補聴処理パラメータをグラフで表示させる、
請求項１から４のいずれかに記載の補聴器調整装置。
【請求項７】
前記補聴処理パラメータは、前記入力部からの入力に基づいて、前記第２領域において前記グラフに表示されるポインタを移動させることにより変動する、
請求項６に記載の補聴器調整装置。
【請求項８】
前記ポインタは、前記グラフの周波数低域側に指示部を有し、周波数高域側に空隙部を有する、
請求項７に記載の補聴器調整装置。
【請求項９】
前記表示制御部は、前記ポインタが前記グラフにおける調整対象上に移動すると、前記ポインタの表示形態を変化させる、
請求項７または８に記載の補聴器調整装置。
【発明の詳細な説明】
【技術分野】
【０００１】
本発明は、使用者の聴力などの諸条件に応じて、補聴器の調整を行うための補聴器調整装置に関する。
【背景技術】
【０００２】
従来より、補聴器使用者の聴力に合わせて補聴器の調整を行う補聴器調整装置が用いられている。補聴器の調整は、使用者の聴力や聞こえ方の好みなど様々な要因を考慮して行う必要があるため、試行錯誤の上で、非常に多くのパラメータを設定する必要がある。
【０００３】
例えば、特許文献１には、両耳用の補聴器の調整の煩雑さを解消するために、左右の補聴器のパラメータを同時に、あるいは独立して調整可能とすることを可能とした補聴器調整装置について開示されている。これにより、両耳のバランスを保ちつつ、各々の周波数のゲインを調整することができる。
【先行技術文献】
【特許文献】
【０００４】
特表２００２−５３４９３４号公報
【発明の概要】
【発明が解決しようとする課題】
【０００５】
しかしながら、上記公報に開示された補聴器調整装置では、補聴器調整者にとって十分使い勝手が良いとは言えず、調整に時間がかかるという問題があった。
【０００６】
すなわち、補聴器調整の大きな目的の一つは、補聴器使用者によって言葉の聴き分けができるようになることにある。
【０００７】
ここで、補聴器使用者が言葉を正確に聞き分けるためには、各周波数間の相対的な増幅率および全体の増幅率が重要である。そのためには、多数の周波数帯域の増幅に関わるパラメータを、調整者が手動で調整する必要がある。しかしながら、周波数帯域間のバランスを保ちながら、多数の周波数帯域のパラメータを変動させるのは、煩雑な操作が必要となる。
【０００８】
これに対し、上記特許文献１の補聴器調整装置では、両耳間のバランスを調整するインターフェースを備えているものの、言葉の聞き分けを向上させるために必要な周波数帯域に関する操作の煩雑さを解決できるとは言い難い。
【０００９】
そこで、本発明の課題は、補聴器調整者にとって使い勝手が良く、補聴器調整時間を短縮できる補聴器調整装置を提供することである。
【課題を解決するための手段】
【００１０】
第１の発明に係る補聴器調整装置は、複数の周波数帯における補聴処理パラメータの調整を行う補聴器調整装置であって、入力部と、表示部と、表示制御部と、を備えている。入力部は、補聴処理パラメータを入力・変動させる。表示部は、補聴処理パラメータを表示する。表示制御部は、第１領域と第２領域とを表示部に表示させる。第１領域は、複数の周波数帯の全ての補聴処理パラメータを、入力部によって一括で変動させる一括変動モードか、複数の周波数帯の中から選択された１つの周波数帯における補聴処理パラメータを入力部によって独立して変動させる独立変動モードか、を切り換え可能である。第２領域は、第１領域のモードにかかわらず、複数の周波数帯の中から選択された１つの周波数帯における補聴処理パラメータを独立して入力部によって変動させる。そして、表示制御部は、第１・第２領域において、前記補聴処理パラメータを同じ様式で表示させ、入力部における異なる操作によって、第１・第２領域における補聴処理パラメータの調整を行う。
【００１１】
これにより、表示部の画面中において、同時に一括して調整を行いたい複数の周波数帯域をグルーピングし、そのグルーピング情報に基づいて補聴処理パラメータの調整を実施する一方、グルーピング情報に関係なく各周波数帯域ごとに独立して補聴処理パラメータの調整も実施することができる。よって、会話帯域に対する全体の聞こえ易さの調整と、各言葉の聞こえ易さの調整を行うために必要な周波数帯域間のバランスの調整とを同時に、かつ切り換え等の特別な操作を行なうことなく、スムースに行うことができる。この結果、補聴器使用者にとって使い勝手がよく、補聴器調整時間を短縮することが可能になる。
【発明の効果】
【００１２】
本発明に係る補聴器調整装置によれば、補聴器使用者にとって使い勝手がよく、補聴器調整時間を短縮することが可能になる。
【図面の簡単な説明】
【００１３】
【図１】本発明の一実施形態に係る補聴器調整装置の構成を示す図。
【図２】図１の補聴器調整装置の制御ブロック。
【図３】図１の補聴器調整装置の画面表示の一例を示す図。
【図４】（ａ），（ｂ）は、図１の補聴器調整装置の表示画面の一例を示す図。
【図５】（ａ）〜（ｃ）は、図１の補聴器調整装置の表示画面の一例を示す図。
【発明を実施するための形態】
【００１４】
本発明の一実施形態に係る装置について、図１〜図５（ｃ）を用いて説明すれば以下の通りである。
【００１５】
本実施形態の補聴器調整装置１は、図１に示すように、入力部２と表示部３とを備えている。また、補聴器調整装置１と補聴器４とは、接続ボックス５および配線６，７を介して接続されている。なお、補聴器４は、使用者８の左耳、右耳別に用意され、それぞれについて調整が行われるが、図１では、説明の便宜上、右耳用の補聴器４だけを示している。
【００１６】
調整者９は、入力部２を介してパラメータの変更等の操作を行い、補聴器４の設定を行う。
【００１７】
図２は、補聴器調整装置１の制御ブロックを示している。
【００１８】
調整者９は、入力部２を介して、補聴処理パラメータの変更情報や、同時に調整を行う周波数帯域のグルーピング情報を入力する。そして、入力された情報は、それぞれグルーピング操作判定部２５、機器制御部１２を介して、調整値メモリ１３、グルーピングメモリ１４に蓄えられる。
【００１９】
入力部２を介して入力される情報は、上記補聴処理パラメータやグルーピング情報に加えて、その情報がＧＵＩ（Graphical User Interface）のどのパーツを操作したものかを示すプロパティー値も含まれる。
【００２０】
ここで、入力部２を介して補聴処理パラメータの変更指示が入力された場合には、グルーピング操作判定部２５において、その変更指示の内容がグルーピングメモリ１４に格納されたグルーピング情報を反映するものかどうかを、上記プロパティー値に基づいて判定する。ここで、変更指示の内容がグルーピング情報を反映すると判定された場合には、パラメータ制御部１５が、その変更内容を他の周波数にも反映させる。
【００２１】
その後、機器制御部１２は、変更後の補聴処理パラメータやグルーピング情報を、表示制御部１６を介して、表示部３におけるＧＵＩの適切な位置に表示する。なお、反映の仕方は、各周波数間の相対的差を保持したまま反映が行われる。
【００２２】
一方、変更指示の内容がグルーピング情報を反映しないと判定された場合は、パラメータ制御部１５が、単に、該当する周波数における補聴処理パラメータだけを変更する。
【００２３】
調整者９が、入力部２を介して補聴器４への補聴処理パラメータの書き込み指示を入力すると、補聴処理パラメータは、書き込み部１７から接続ボックス５、補聴器４の入力部１８を介して、補聴器４の補聴処理パラメータ保持部１９に書き込まれる。ここで、補聴処理パラメータ保持部１９は、補聴器使用者の聴力に応じて決定されるゲインやコンプレッションのような補聴処理パラメータや、ハウリング抑制機能または風雑音抑制（フィードバックキャンセラー）機能などの付加的な機能の設定情報を記憶するものである。
【００２４】
補聴器４は、補聴処理パラメータ保持部１９に格納された補聴処理パラメータに基づいて、本体マイク２０から取得した音を補聴処理部２１において処理し、レシーバ２２から出力することで、使用者８の聴力に合わせた音を提供する。また、補聴器４は、補聴器調整装置１に対して、補聴器４の出力部２３から接続ボックス５、読み込み部２４を介して、補聴器調整装置１から入力された書き込み指示に対する処理が完了したことを通知する。
【００２５】
以下、図面を用いて動作の説明をする。
【００２６】
図３は、本実施の形態の補聴器調整装置１における表示部３の表示画面を示す一例であって、領域３１，３２，３３が表示制御部１６によって表示部３に表示されている。
【００２７】
領域（第３領域）３１は、調整が行われる２５０，５００，１ｋ，２ｋ，４ｋの各周波数帯に対応するボタンが表示されている。また、領域３１は、グルーピングメモリ１４に格納されるグルーピング情報を指定および表示する領域である。
【００２８】
領域（第１領域）３２は、補聴器４の各種パラメータであるゲイン（Ｇａｉｎ）、圧縮比(Ｃｏｍｐ)、ニーポイント（ＴＫ）、自動利得制御（ＡＧＣｏ）などが入力される領域であって、領域３１において入力されたグルーピング情報を反映し調整が行われる。
【００２９】
領域３３（第２領域）は、領域３２とは異なり、領域３１のグルーピング情報を反映することなく、補聴処理パラメータの入力および表示を行う領域である。このため、領域３３は、領域３２のスライダとは異なる様式（グラフ）での補聴器４の調整が可能である。
【００３０】
具体的には、領域３３では、グラフ上の出力線の上にマウスポインタを移動させることにより、マウスポインタの形が矢印の形から人の手の形に変わり、周波数の特定の帯域を指し示す指示子として調整者９に働き掛ける表示様態となる。このように調整者９に働きかけることで、自然にグルーピングを反映させずに、周波数帯域ごとに補聴処理パラメータを調整することができる。なお、領域３３におけるグラフの各線は、下から４０，６０，９０ｄＢＳＰＬの出力特性を示している。
【００３１】
以下では、図４（ａ）および図４（ｂ）、図５（ａ）〜図５（ｃ）を用いて、表示制御部１６によって表示部３に表示される領域３１，３２，３３における操作について、より具体的に説明する。
【００３２】
調整者９は、使用者８のための言葉の聞き取りの品質を上げるために、言葉の明瞭度を上げようとしているものとする。
【００３３】
この場合、まず、調整者９は、言葉の聞き取りに重要な周波数帯域と考えられる５００，１ｋ，２ｋの周波数を、他の周波数の音に邪魔されることなく聞き取りができるようにするために、領域３１において、それらの周波数を同時に調整するためのグルーピングを指定する。具体的には、調整者９は、領域３１に表示された複数のボタンのうち、５００，１ｋ，２ｋの３つのボタン（図４（ａ）中の参照番号３４で示す。）を押下する。ここで、３つのボタン３４を押下したグルーピング情報は、前述の通り、入力部２から機器制御部１２を通じてグルーピングメモリ１４に格納される。
【００３４】
グルーピングの指定が終わると、調整者９は、言葉の聞き取り易さを向上させるために、図４（ａ）の状態から５００，１ｋ，２ｋのゲインを同時に上げることで図４（ｂ）の状態に遷移させて、言葉の聞き取り易さを向上させるように調整する。
【００３５】
このとき、調整者９によってグルーピングが行われているため、５００，１ｋ，２ｋのいずれか、例えば、２ｋＨｚのスライダを上げると、５００，１ｋ，２ｋのゲインが同時に調整される。
【００３６】
具体的には、補聴処理パラメータが入力部２に入力されると、グルーピング操作判定部２５が、補聴処理パラメータと共に得られ領域３２の操作であることを示すプロパティー値に基づいて、グルーピングを反映する補聴処理パラメータの変更であると判定する。そして、機器制御部１２が、グルーピングメモリ１４を参照しながら、パラメータ制御部１５が、グルーピングされた各周波数の補聴処理パラメータを、各周波数帯域間の差分情報を保持しながら変更する。
【００３７】
機器制御部１２は、その補聴処理パラメータを、調整値メモリ１３に書き込むとともに、表示制御部１６を介して表示部３において表示する。表示制御部１６は、領域３２のスライダの値だけでなく、領域３３のグラフ領域の値も変更する。
【００３８】
続いて調整者９は、使用者８が言葉を聞き分け易くなるように、言葉の聞き取り状態が改善した前記状態から、さらに言葉の聞き分け易さが向上するように、前記周波数間のバランスを調整する。
【００３９】
このため、通常ならば、グルーピングを一旦解除し、周波数間の相対的な関係を調整する必要がある。すなわち、５００，１ｋ，２ｋのうち、独立して変動させたい周波数以外の周波数のボタンを押下することにより、グルーピングを解除した後、独立して変動させたい周波数のパラメータを変動させる必要がある。ここで、補聴処理パラメータの調整は、非常に繊細な作業である。よって、最終的に最適な補聴処理パラメータを設定するためには、グルーピング変動と独立変動とを何度も繰り返す必要があるため、グルーピングの設定と解除とを何度も行わなければならないのは、非常に煩雑で時間がかかってしまう。
【００４０】
そこで、本実施形態の補聴器調整装置１では、グルーピング情報を保持しながらも各周波数帯域を独立して調整できるように、領域３２とは異なる領域３３において入力された補聴処理パラメータの変更は、前記グルーピング情報を反映することなく、各周波数間において独立して調整できるようにしている。
【００４１】
特に、会話音が含まれる４ｋ以下の周波数帯の補聴処理パラメータは、より精度良く調整する必要がある。このため、グルーピング変動と独立変動とを何度も繰り返しながら、補聴処理パラメータの調整を行う。
【００４２】
本実施形態の補聴器調整装置１によれば、グルーピングの設定と解除とを何度も行わなくても、領域３２においてグルーピングを設定したまま、領域３３において補聴処理パラメータを独立して変動させることができる。よって、入力部２における操作数を従来よりも低減させることができ、補聴器４の調整者９にとって、操作の煩雑さを解消して、従来よりも調整時間を短縮することができる。
【００４３】
また、本実施形態では、領域３３における操作がグルーピングを反映していないこと、すなわち、各周波数を独立して変動できることを、調整者９が認識しやすいように、ＧＵＩの表現のバリエーションを最大限に利用する。
【００４４】
具体的には、グラフ上における補聴処理パラメータの入力は、まず、マウスポインタをグラフの線上に持っていくことで、調整対象となる調整グラフを指定する。このとき、通常、マウスポインタは、矢印のような形をしている。本実施形態の補聴器調整装置１では、調整対象上にマウスポインタが移動すると、表示制御部１６がマウスポインタの表示を矢印から人の手の形に変化させる（図５（ａ）〜図５（ｃ）のマウスポインタ３３ａ〜３３ｃ参照）。これにより、調整者９は、調整対象となる変動可能な補聴処理パラメータを、画面を見ながら明確に認識することができる。
【００４５】
ここで、マウスポインタ３３ａ〜３３ｃは、図５（ａ）〜図５（ｃ）に示すように、右手の人差指は伸びているが、中指、薬指および小指は常に畳まれた表示にして、人差指の右側に空白部を設けるのが好ましい。
【００４６】
特に、補聴器使用者の割合が大きい高齢化難聴は、通常、周波数が高域側に行くほど聴力が下がっていく傾向がある。すなわち、周波数が高域側ほど、利得が高くなる傾向にあるため、グラフは高域側に向かって正の傾きを有する。
【００４７】
これにより、マウスポインタ３３ａ〜３３ｃの右側（高域側）に空白部を設けることで、グラフの線にマウスポインタ３３ａ〜３３ｃの先端部分が重複しにくくなる。よって、補聴器４の調整者９は、グラフとマウスポインタ３３ａ〜３３ｃとの両方を良く視認しながら調整を行うことができる。なお、マウスポインタの高域側の空白部は、調整を容易にするための空間（調整容易化空間）として活用される。
【００４８】
以上のように、調整したい線（補聴処理パラメータ）の上にマウスポインタ３３ａ〜３３ｃを移動させた後、続いて、この線（補聴処理パラメータ）を動かして調整を行うためにマウス２ａのボタンを押下する。このとき、マウス２ａのボタン押下によって線をつかんだイメージになるように、図５（ｂ）に示すように、マウスポインタ３３ａ〜３３ｃは、手が閉じた形態で表示される。そして、この状態でマウス２ａを上下させることで、図５（ｃ）に示すように、各補聴処理パラメータの調整を行うことができる。
【００４９】
また、マウス２ａのボタン押下によって領域３３中の線をつかんだ際に、領域３１において、上記マウス操作による変更対象となる周波数帯（図５（ａ）〜図５（ｃ）の場合は、１ｋＨｚ）が、点滅したり色が変化したりすること等により、調整者９が認識し易いように表示方法が変更されることが好ましい。
【００５０】
さらに、領域３１に加えて領域３２においても、上記マウス操作による変更対象となる周波数帯のスライダが、点滅したり色が変化したりすること等により、調整者９が認識し易いように表示方法が変更されるようにすることが好ましい。
【００５１】
すなわち、領域３３における変更対象となる周波数を、領域３１および／または領域３２においても目立つように、調整者９に対して分かりやすく表示することが好ましい。
【００５２】
図５（ａ）〜図５（ｃ）では、２５０、５００、１ｋ、２ｋ、４ｋの５つの周波数帯が変動可能な場合を例示しているが、これよりも多くの周波数帯を変動可能な表示を行う場合には、表示領域が限られているためにそれらの表示間隔が狭くなってしまう。このため、領域３３のグラフの線を、マウス２ａを用いて動かして変動させると、調整者９の意図しない周波数帯を誤って変動させてしまうおそれがある。
【００５３】
これに対して、上記のように、領域３１および／または領域３２において、マウス操作による変更対象の周波数帯の表示方法を変化させて目立たせることにより、変動対象となる周波数帯を調整者９に分かりやすく示すことができる。この結果、調整者９が意図しない周波数帯変動させてしまうことを防止できるという効果を得ることができる。
【００５４】
この操作を繰り返すことにより、グルーピング情報を解除することなく、周波数間のバランスを調整することができる。よって、言葉の聞き分け易さの向上に必要となる各周波数間における補聴処理パラメータの独立した調整を効率よく実施することができる。
【００５５】
具体的には、各周波数帯における補聴処理パラメータの調整を独立して実施するために、上記手順に従って、領域３３における操作が行われると、入力部２から、変更後の補聴処理パラメータと、領域３３における操作であることを示すプロパティー値と、がグルーピング操作判定部２５に送られる。グルーピング操作判定部２５は、グルーピングの必要がない領域３３からの入力であると判定し、パラメータ制御部１５において指定された周波数帯域の値のみが変更されて調整値メモリ１３に格納されるとともに、表示制御部１６および表示部３を介して、領域３２および領域３３の情報が更新される。
【００５６】
以上の操作を行うことにより、一旦、言葉の聞こえ易さが向上し、さらに言葉の聞き分け易さに対して調整を行うことができる。ただし、通常、この状態からさらに言葉の聞こえ易さの状態が変わると、言葉の周波数帯域全体の聞こえ易さに対する調整が再度必要となる。
【００５７】
そこで、本実施形態では、さらに図４（ａ）および図４（ｂ）のようにグルーピング情報を反映させて言葉の聞こえ易さを全体的に調整し、さらに聞き分け易さを微調整する等のように、図４（ａ）〜図５（ｃ）に示す操作を繰り返し行うことで、使用者８に最大限の聞こえ易さを提供することができる。
【００５８】
一般的に、グルーピング情報を保持しながら、それらを同時に、かつ独立して調整できない従来の補聴器調整装置では、グルーピング情報の設定、解除を繰り返しながら調整を行う必要がある。このような操作は、非常に煩雑であり、補聴器の調整作業の難易度を高め、作業時間の延長を招いていた。
【００５９】
本実施形態の補聴器調整装置１では、図４（ａ）〜図５（ｃ）に示すような調整を繰り返すことで、このような問題を解決することができる。特に、聞こえ易さといった人の主観的な要素を含む調整作業を行う補聴器調整装置１では、本発明の適用は特に有効であり、有効なインターフェースとして、補聴器４の使用者８、調整者９に提供することができる。
【００６０】
［他の実施形態］
以上、本発明の一実施形態について説明したが、本発明は上記実施形態に限定されるものではなく、発明の要旨を逸脱しない範囲で種々の変更が可能である。
【００６１】
（Ａ）
上記実施形態では、本発明の補聴器調整装置１によって調整される補聴器４として、左右両耳に装着される補聴器の一方を調整する例を挙げて説明した。しかし、本発明はこれに限定されるものではない。
【００６２】
例えば、調整対象となる補聴器としては、両耳用の補聴器の一方だけでなく、左耳および右耳のいずれか一方に装着される片耳用の補聴器であってもよい。
【００６３】
この場合でも、複数の周波数帯における補聴処理パラメータを表示しながら、一括／独立変動させることで、上記と同様の効果を得ることができる。
【００６４】
（Ｂ）
上記実施形態では、グルーピングを行う入力部として領域３２にスライダを表示し、また、グルーピングを行わない入力部として領域３３にグラフを表示した例を挙げて説明した。しかし、本発明はこれに限定されるものではない。
【００６５】
例えば、領域３２，３３にともにスライダを表示し、領域３２に相当するグルーピング状態での入力をマウスの左ボタンによるスライダ操作で、また領域３３に相当する非グルーピング入力をマウスの右ボタンによるスライダ操作で行うようにしてもよい。
【００６６】
さらに、シフトキー押下時におけるスライダ操作を非グルーピング入力、シフトキー非押下状態におけるスライダ操作をグルーピング入力などと設定してもよい。
【００６７】
さらに、領域３２，３３にともにグラフを表示し、上記と同様に、マウスの左ボタンによってスライダ操作、右ボタンによってスライダ操作の切り換えを行う、シフトキー押下、非押下状態でのスライダ操作としても構わない。
【産業上の利用可能性】
【００６８】
本発明の補聴器調整装置は、補聴器調整者にとって使い勝手が良く、補聴器調整時間を短縮できるという効果を奏することから、両耳用、片耳用にかかわらず各種補聴器の調整を行う補聴器調整装置に対して広く適用可能である。
【符号の説明】
【００６９】
１      補聴器調整装置
２      入力部
２ａ    マウス
３      表示部
４      補聴器
５      接続ボックス
６，７    配線
８      使用者
９      調整者
１２      機器制御部
１３      調整値メモリ
１４      グルーピングメモリ
１５      パラメータ制御部
１６      表示制御部
１７      書き込み部
１８      入力部
１９      補聴処理パラメータ保持部
２０      本体マイク
２１      補聴処理部
２２      レシーバ
２３      出力部
２４      読み込み部
２５      グルーピング操作判定部
３１      領域（第３領域）
３２      領域（第１領域）
３３      領域（第２領域）
３３ａ〜３３ｃ  マウスポインタ
３４      ボタン
【図１】
0005567515.tif 000002
【図２】
0005567515.tif 000003
【図３】
0005567515.tif 000004
【図４】
0005567515.tif 000005
【図５】
0005567515.tif 000006